(57)【要約】【課題】樹脂製のボタンやバックル等の衣料用付属品を、樹脂製でありながら、適度の重量感を有し、金属、パール、陶器、骨などで製造された製品と同様の外観を有するものとすることを課題とする。【解決手段】ボタンやバックル等の衣料用付属品を、熱可塑性樹脂（１）１００重量部に対して、酸化チタン（２）または酸化亜鉛を２５〜７０重量部混入した樹脂組成物からなる成形品とし、この成形品表面に着色層を形成した。この製品は、適度の重量感を有するものであり、しかも表面の着色により、樹脂製とは感じさせない、高級感あるものとなる。表面に金属（３）をメッキした製品は、金属製の外観を有しながら、「検針機」等の金属探知機に反応しない製品となる。【選択図】図１
0003127654.tif 000002
【実用新案登録請求の範囲】
【請求項１】
熱可塑性樹脂１００重量部に対して、酸化チタンまたは酸化亜鉛を２５〜７０重量部混入した樹脂組成物からなる成形品で、表面に着色層を有することを特徴とする衣料用付属品。
【請求項２】
上記樹脂組成物が、更に、酸化鉄５〜１５重量部を混入したものである請求項１記載の衣料用付属品。
【請求項３】
前記着色層が金属メッキ層である請求項１または２記載の衣料用付属品。
【請求項４】
前記着色層が着色料を含む樹脂コーティングで形成されたものである請求項１〜３いずれか１項記載の衣料用付属品。
【請求項５】
前記成型品が表面に凹凸模様あるものであり、凹部が濃く着色されている請求項１〜４いずれか１項記載の衣料用付属品。
【考案の詳細な説明】
【技術分野】
【０００１】
本考案は、適度の重量感を有し、金属、パール、陶器、骨などで製造された製品と同様の外観を有する樹脂製の衣料用付属品に関するものである。
【背景技術】
【０００２】
ボタンやバックルなどの衣料用付属品として金属製のものが古くから広く使用されているが、１）原料価格の高騰、２）鉛を含有することによる人体への悪影響、３）重すぎるため、ボタンを糸着けした時に下を向く、４）縫製時の折れ針混入を発見するために使用される「検針機」及び空港やビル・イベント会場の入退者のボディーチェック用の金属探知機に反応してしまう、というような問題があった。
反面、樹脂製のボタン等を使用する者が多くなってきたが、樹脂製の製品は、非常に軽量で、外観的にも重量感がなく、落ち着きがなく、高級さに欠けるものであった。
【考案の開示】
【考案が解決しようとする課題】
【０００３】
本考案は、ボタンやバックル等の衣料用付属品を、樹脂製でありながら、適度の重量感を有し、金属、パール、陶器、骨などで製造された製品と同様の外観を有するものとすること、しかも金属製の外観を有する製品では、「検針機」等の金属探知機に反応しない製品とすることを課題とする。
【課題を解決するための手段】
【０００４】
本考案では、ボタン等の衣料用付属品を、熱可塑性樹脂１００重量部に対して、酸化チタンまたは酸化亜鉛を２５〜７０重量部混入した樹脂組成物を成形してなるものとし、表面に着色層を設けることにより、上記課題を解決した。
【０００５】
上記樹脂組成物は、更に、酸化鉄５〜１５重量部を混入してもよい。
【０００６】
樹脂としては、熱可塑性樹脂又は熱可塑性プラスチックと称されるものでいずれも使用できるが、高級感を呈するためには、ＡＢＳ樹脂、６−ナイロン樹脂、６６−ナイロン樹脂、ポリカーボネート樹脂、アクリル樹脂等の使用が好ましく、また、環境面を重視するときは、ポリ乳酸樹脂、加水分解性／生分解性ポリエステル樹脂、脂肪族ポリエステル樹脂脂の使用が好ましい。
【０００７】
また、表面の着色層は、金属メッキ又は着色料を含む樹脂コーティングで形成されるのが好ましく、金属メッキは、プラスチックへのメッキ法として公知のものがいずれも適用できる。例えば、金、銀、アルミニウム、ニッケルなどの金属がメッキされるが、メッキにより形成される金属層は一層でも二層でもよい。例えば、無電解メッキ後、電解メッキを施してもよい。いずれにしても、メッキした金属の膜厚は、１０〜１００μｍ程度に形成されるのが好ましい。
【０００８】
また、着色料を含む樹脂コーティングは、通常プラスチック表面に塗装可能な着色コーティング樹脂組成物を用いて実施されればよく、特に、樹脂組成物が限定されるものではない。
【考案の効果】
【０００９】
本考案では、通常の合成樹脂製のでは考えられない高比重（例えば１．４〜２．５）の金属製、パール製、陶磁器製、骨製など外観を有する製品（ボタンやバックル等）を容易に、安価に得ることができる。また、酸化チタンや酸化亜鉛という充填剤を大量に含むにもかかわらず、表面の着色層の存在によって、物理的強度も比較的安定に保たれる。
更に、金属メッキしたものは、高級感ある外観を保ちながら、錆や酸性雨による変色もなく、重金属の混入による問題を生じることがない。また、「検針機」等の金属探知機に応答することがないので、製品検査や空港やビル・イベント会場におけるボディーチェックにおいて、問題となることもないというような利点を有する。
【考案を実施するための最良の形態】
【００１０】
次に、本考案を図面に示す実施例に従って説明する。
実施例１：
図１のボタンは、ＡＢＳ樹脂１に酸化チタン２を３５重量％添加混合した原料を射出成型し、その表面に金属（金）３を無電解メッキしたものである。直径２０ｍｍの円形のボタンで、裏面には、糸付用の足４が形成されており、この足４は、２ｍｍ径の糸穴５を形成するように、上端（糸穴５の両側のボタン裏面への取り付け部分）が２ｍｍ幅で、下方の厚さが１．５ｍｍのＵ字型となっている。
このボタンは、金ボタンの外観を有する比重２．００のボタンとなった。
単なるＡＢＳ製のボタンでは比重１．０４であるが、図１のボタンは酸化チタン２の混入と金属（金）３のメッキにより、重量感あるものとなった。また、酸化チタン２を非常に多量に含有するにもかかわらず、衝撃にも強く、耐久性ある製品となった。
また、金ボタンの外観を有するが、「検針機」等の金属探知機によって検知されることはなかった。
【００１１】
実施例２
図２のボタンは、６−ナイロン樹脂１に酸化チタン２を６０重量％混合した原料を射出成型したもので、陶磁器に近い感触の高比重ボタンができた。これに金属（アルミニウム）３を化学メッキすることにより、比重２．６２の銀色のボタンができた。
銀ボタンの外観を有する、重量感ある美麗な製品で、酸化チタン２を多量含有するにもかかわらず、安定した強度を有するものとなった。この製品も、「検針機」等の金属探知機で検知されることはなかった。
【００１２】
実施例３
図３のＡのボタンは、６−ナイロン樹脂１に酸化チタン２を６０重量％混合した原料を、表面に不規則に溝（凹部）を有するように成型した製品に、こげ茶色の染料で着色した６−ナイロン樹脂からなる着色コーティング６をし、その後表面を磨いたものである。全体にベージュ色をなし、凹部７がこげ茶色に着色した、骨製の外観を有する製品となった。
図３のＢのボタンは、６−ナイロン樹脂１に酸化チタン２を６０重量％混合した原料を、表面に網目状の凸部８を有するように成型した製品に、青色染料で着色した６−ナイロン樹脂からなる着色コーティング６をし、その後表面を磨いたものである。白い網目の間に青い着色部分（凹部７）が存在する陶磁器製の外観を有する製品となった。
なお、これらの製品はいずれも、適度の重量感を有するため、外観的にも、感触的にも
樹脂製とは感じられないものであった。
【００１３】
実施例４
バックルに、ＡＢＳ樹脂に酸化チタンを３０重量％添加混合した原料を射出成型し、その表面に無電解銅メッキをし、更にニッケル及び金を順次電気メッキして、金色のバックルとした。このバックルは、金製の外観を有しながら、比重３以下であり、扱い易く、しかも、「検針機」等の金属探知機によって検知されることもないため、非常に実用性あるものであった。
【図面の簡単な説明】
【００１４】
【図１】図１は本考案の一例の断面図である。
【図２】図２は本考案の一例の断面図である。
【図３】図３は本考案の異なる二例の平面図である。
【符号の説明】
【００１５】
１  樹脂
２  酸化チタン
３  金属
４  足
５  糸穴
６  着色コーティング
７  凹部
８  凸部
【図１】
0003127654.tif 000003
【図２】
0003127654.tif 000004
【図３】
0003127654.tif 000005
【手続補正書】
【提出日】平成18年9月29日(2006.9.29)
【手続補正１】
【補正対象書類名】明細書
【補正対象項目名】０００９
【補正方法】変更
【補正の内容】
【０００９】
本考案では、通常の合成樹脂製では考えられない高比重（例えば１．４〜２．５）の金属製、パール製、陶磁器製、骨製など外観を有する製品（ボタンやバックル等）を容易に、安価に得ることができる。また、酸化チタンや酸化亜鉛という充填剤を大量に含むにもかかわらず、表面の着色層の存在によって、物理的強度も比較的安定に保たれる。
更に、金属メッキしたものは、高級感ある外観を保ちながら、錆や酸性雨による変色もなく、重金属の混入による問題を生じることがない。また、「検針機」等の金属探知機に応答することがないので、製品検査や空港やビル・イベント会場におけるボディーチェックにおいて、問題となることもないというような利点を有する。